(57)【要約】【課題】強盗や不審者等が住居等の建物に侵入して就寝中等の在住者に危害を加えようとしても、在住者に接近することもできず、且つ鉄棒や刃物等の凶器で在住者を襲おうとしても直接危害を加えることができないようにして在住者の身を守ることができるものを提供することをその課題としている。【解決手段】ＰＣ板またはMMA板で、ルーム本体２の少なくとも壁面３、天井面４を形成し、かつ壁面３の所定箇所に開口部６を設け、この開口部６に上記ＰＣ板またはMMA板で形成した錠前７付き扉８を開閉自在に設けると共に上記扉８を閉じた際にルーム本体２内から施錠可能とし、さらに、ルーム本体２の適宜の箇所に電気配線用および換気または通気用の孔１０，１１を設けた。【選択図】  図１
0003130176.tif 000002
【実用新案登録請求の範囲】
【請求項１】
ポリカーボネート（PolyCarbonate：略称ＰＣ）板またはアクリル(メチルメタアクリレート「Methyl methacrylate：略称MMA」)板で、ルーム本体の少なくとも壁面、天井面を形成し、かつ壁面の所定箇所に開口部を設け、この開口部に上記ポリカーボネート板またはアクリル板で形成した錠前付き扉を開閉自在に設けると共に上記扉を閉じた際にルーム本体内から施錠可能とし、さらに、ルーム本体の適宜の箇所に電気配線用および換気または通気用の孔を設けたことを特徴とする防犯ユニットルーム。
【請求項２】
ルーム本体の床面もポリカーボネート（PolyCarbonate：略称ＰＣ）板またはアクリル(メチルメタアクリレート「Methyl methacrylate：略称MMA」)板で形成したことを特徴とする請求項１記載の防犯ユニットルーム。
【請求項３】
ルーム本体は、住居内の一室に設置可能な大きさであることを特徴とする請求項１または２記載の防犯ユニットルーム。
【考案の詳細な説明】
【技術分野】
【０００１】
本考案は、住居等に侵入した強盗や不審者等から身を守ることができる防犯ユニットルームに関するものである。
【背景技術】
【０００２】
最近はわが国も治安の悪化に伴って昔のような安全な国ではなくなってきている。そして毎日のように強盗等の事件がマスコミを賑わせていて、家に居ても安心できないのが現状である。そのため裕福な人や心配で夜も安心して寝られないといった人たちは、民間の警備会社と防犯契約を結んで家屋に防犯設備を施してもらい不審者や強盗等の侵入を防ぐといった対策を講じている。しかしながら、それでも上記の防犯設備による防犯網を突破して住居に侵入し、就寝している人を脅したり襲ったりして金品を強奪するといった事件が頻繁に発生しているのが今日この頃である。
【考案の開示】
【考案が解決しようとする課題】
【０００３】
本考案は上記したような点に鑑みて開発したものであり、強盗や不審者等が住居等の建物に侵入して就寝中等の在住者に危害を加えようとしても、在住者に接近することもできず、且つ鉄棒や刃物等の凶器で在住者を襲おうとしても直接危害を加えることができないようにして在住者の身を守ることができるものを提供することをその課題としている。
【課題を解決するための手段】
【０００４】
上記課題を解決するために、本考案の第１の防犯ユニットルームは、ポリカーボネート（PolyCarbonate：略称ＰＣ）板またはアクリル(メチルメタアクリレート「Methyl methacrylate：略称MMA」)板で、ルーム本体の少なくとも壁面、天井面を形成し、かつ壁面の所定箇所に開口部を設け、この開口部に上記ポリカーボネート板またはアクリル板で形成した錠前付き扉を開閉自在に設けると共に上記扉を閉じた際にルーム本体内から施錠可能とし、さらに、ルーム本体の適宜の箇所に電気配線用および換気または通気用の孔を設けたものである。
【０００５】
本考案の第２の防犯ユニットルームは、第１の防犯ユニットルームにおいて、ルーム本体の床面もポリカーボネート（PolyCarbonate：略称ＰＣ）板またはアクリル(メチルメタアクリレート「Methyl methacrylate：略称MMA」)板で形成したものである。
【０００６】
本考案の第３の防犯ユニットルームは、第１または第２の防犯ユニットルームにおいて、ルーム本体は、住居内の一室に設置可能な大きさである。
【考案の効果】
【０００７】
本考案の第１の防犯ユニットルームでは、少なくとも周囲の壁面と天井および開閉自在な扉がＰＣ板またはMMA板で形成されているので、このルーム内に入って中から施錠していれば、強盗等が中にいる者を襲おうとしても、ルーム本体が衝撃に強くて強固な上記のＰＣ板等で囲繞形成されているので、ルーム本体内に侵入することができず、また鉄棒等で壁面等を叩き割ろうとしても全く割ることができない。そのため、この防犯ユニットルーム内に入っていれば強盗等は中にいる人に接近することができず、中にいる人は強盗等から確実に身を守ることができ、安心して就寝等をすることができる。
【０００８】
本考案の第２の防犯ユニットルームでは、壁面や天井とともにルーム本体の床面もＰＣ板またはMMA板で形成したものであるので、ルーム本体をこじ上げたり、床の箇所から侵入しようとする強盗等の襲撃に対しても確実に防御することができ、このルーム本体内に入れば日夜を問わず安心して過ごすことができる。
【０００９】
本考案の第３の防犯ユニットルームでは、ルーム本体を住居内の一室に設置することができるので、室内に設置したこのルーム本体内に入り施錠して就寝すれば夜中に強盗等に襲われることもなく安心して寝ることができる。
【考案を実施するための最良の形態】
【００１０】
以下、添付の図面と共に、本考案の最良の実施形態について説明する。
図１は本考案を実施するための最良の形態の一実施例の防犯ユニットルームの斜視図あり、図２は家屋の一室に一実施例の防犯ユニットルームを設置した状態を示す説明図である。
【００１１】
図に示すように１は本考案の一実施例の防犯ユニットルームであって、この防犯ユニットルーム１は、ルーム本体２を中空なる立方体形状に形成したものであり、周囲４面の壁面３と、天井面４および床面５は、耐衝撃性を有するポリカーボネート（PolyCarbonate：略称ＰＣ）板またはアクリル(メチルメタアクリレート「Methyl methacrylate：略称MMA」)板で形成してある。
【００１２】
また、図示の例では一壁面３の一側縁寄りに長方形状の開口部６を設け、この開口部６に上記ＰＣ板またはMMA板で形成した錠前７付き扉８を蝶番９を介して開閉自在に設けてある。施錠は扉８を閉じた際にルーム本体２の内側からルーム本体２内に入った人が施錠し、外からは合鍵を使わないとば開けられないようにしてある。
【００１３】
また、図示の例ではルーム本体２の天井面４の適宜の箇所に電気配線用の孔１０および換気または通気用の孔１１を設けてあり、それぞれの孔１０，１１を介して電気配線１２、換気ダクト１３をルーム本体２内に導けるようにしてある。また、ルーム本体２内の天井面４には電灯１４が設けてあり上記電気配線１２と接続してある。勿論、図示省略するが冷暖房機をルーム本体２内の壁面３に設けてもよい。１５はルーム本体２内に設けたベッドである。
【００１４】
なお、上記したルーム本体２の各壁面３、天井面４および床面５を構成する各ポリカーボネート板またはアクリル板の接続縁部１６は、樹脂接着剤で接着してある。勿論、ルーム本体２の強度を増すために骨組みした補強のポリカーボネート製またはアクリル製の角材等をルーム本体２内に設けて、各壁面３、天井面４および床面５と接着支持して強度を高めるようにしてもよい。
【００１５】
このような構成からなる本考案の一実施例の防犯ユニットルーム１では、所望の場所に設置して中に入り施錠しておくことにより、外から強盗等がバールや鉄棒等でルーム本体２の壁面３等を叩き割って中に入ろうとしても、耐衝撃性があり強固なポリカーボネート板またはアクリル板を破壊することができない。そのため中に居る人は危害を受けることなく安心していられる。
【００１６】
なお、上記した防犯ユニットルーム１は、図２に示すように家１７等の住居内の一室１８に設置可能な大きさでもある。勿論、防犯ユニットルーム１の大きさは特に限定されるものではなく、所望の場所に設置できる大きさに設計変更するも自由である。
【００１７】
さらに、ポリカーボネート板またはアクリル板の厚さも、特に限定されるわけではなく、ハンマーや鉄棒等の硬い凶器で外部から打撃されても破壊されることのない厚さであれば、如何なる厚さであってもよい。また、考案の防犯ユニットルームにおいてルーム本体２の床面５は他の材料または開口にしてもよい。電気配線用の孔１０および換気または通気用の孔１１は、壁面３に設けてもよい。また、ポリカーボネート板およびアクリル板の色は白、茶、青、灰色等、如何なる色であってもよい。さらに、ルーム本体の形状も立方体、直方体、その他の多角形状や円形状や楕円形状等の中空なる立体であってもよい。ルーム本体の形状は特に限定されるものではない。本考案の防犯ユニットルームは、ポリカーボネート板またはアクリル板で周囲を囲繞形成され、中にいる人が他者から危害を受けるのを防ぐことができれば如何なる設計変更も自由である。
【図面の簡単な説明】
【００１８】
【図１】本考案を実施するための最良の形態の一実施例の防犯ユニットルームの斜視図ある。
【図２】家屋の一室に一実施例の防犯ユニットルームを設置した状態を示す説明図である。
【符号の説明】
【００１９】
１    防犯ユニットルーム
２    ルーム本体
３    壁面
４    天井面
５    床面
６    開口部
７    錠前７
８    扉
１０  孔
１１  孔
【図１】
0003130176.tif 000003
【図２】
0003130176.tif 000004